(57)【要約】    【課題】  長期間使用してもフリッカーが発生することがない視野角切替型表示装置、及びそれを搭載した端末装置を提供する。    【解決手段】  表示装置１において、面光源２、透過する光の指向性を高める視角制御手段４１、透明状態となって入射された光をそのまま透過させるか、半透明な白濁状態となって入射された光を散乱させて通過させるかを切り替える切替素子８、表示パネル４２をこの順に配置する。そして、駆動部２１が切替素子８に印加する交流電圧の周波数Ｆ２を、表示パネル４２の駆動周波数Ｆ１よりも高くする。例えば、周波数Ｆ２を周波数Ｆ１の２倍以上とし、周波数Ｆ１のｎ倍（ｎは２以上の整数）とする。【選択図】  図１
2006323031.tif 000002
【特許請求の範囲】
【請求項１】
入射された光をそのまま透過させるか散乱させるかを切り替え可能な切替素子と、この切替素子から出射した光を透過させることにより画像を表示する表示パネルと、前記切替素子に交流電圧を印加するか否かを切り替えることによりこの切替素子を透過状態とするか散乱状態とするかを切り替える駆動部と、を有し、前記駆動部が前記切替素子に印加する前記交流電圧の周波数が、前記表示パネルの駆動周波数よりも高いことを特徴とする視野角切替型表示装置。
【請求項２】
前記交流電圧の周波数が６０Ｈｚよりも高いことを特徴とする請求項１に記載の視野角切替型表示装置。
【請求項３】
前記交流電圧の周波数が、前記表示パネルの駆動周波数の２倍以上であることを特徴とする請求項１又は２に記載の視野角切替型表示装置。
【請求項４】
前記交流電圧の周波数が、前記表示パネルの駆動周波数のｎ倍（ｎは２以上の整数）であることを特徴とする請求項３に記載の視野角切替型表示装置。
【請求項５】
前記駆動部は、前記切替素子の駆動タイミングを前記表示パネルの駆動タイミングに同期させるものであることを特徴とする請求項１乃至４のいずれか１項に記載の視野角切替型表示装置。
【請求項６】
前記切替素子が、透明なプラスチックからなる２枚の基板と、この基板間に配置された液晶層と、を有することを特徴とする請求項１乃至５のいずれか１項に記載の視野角切替型表示装置。
【請求項７】
一方の前記基板が前記表示パネルに接着されていることを特徴とする請求項６に記載の視野角切替型表示装置。
【請求項８】
前記切替素子に対して光を出射する光源を有し、一方の前記基板が前記光源に接着されていることを特徴とする請求項６に記載の視野角切替型表示装置。
【請求項９】
前記切替素子に入射する光の指向性を高める視角制御手段を有し、一方の前記基板が前記視角制御手段に接着されていることを特徴とする請求項６に記載の視野角切替型表示装置。
【請求項１０】
前記切替素子に対して光を出射する光源を有し、この光源から前記切替素子までの光路において紫外線が吸収されるようになっていることを特徴とする請求項６に記載の視野角切替型表示装置。
【請求項１１】
前記光路に介在するように配置された紫外線吸収シートを有することを特徴とする請求項１０に記載の視野角切替型表示装置。
【請求項１２】
一方の前記基板が前記紫外線吸収シートに接着されていることを特徴とする請求項１１に記載の視野角切替型表示装置。
【請求項１３】
前記光源は、冷陰極管と、この冷陰極管から入射された光を前記切替素子に向けて面状に出射する導光板と、を有し、前記導光板が紫外線を吸収する材料により形成されていることを特徴とする請求項１０に記載の視野角切替型表示装置。
【請求項１４】
前記光源は、冷陰極管と、この冷陰極管から入射された光を面状に出射する導光板と、この導光板から入射された光を前記切替素子に向けて出射する光学素子と、を有し、前記光学素子が紫外線を吸収する材料により形成されていることを特徴とする請求項１０に記載の視野角切替型表示装置。
【請求項１５】
前記切替素子に入射する光の指向性を高める視角制御手段を有し、この視角制御手段が紫外線を吸収する材料により形成されていることを特徴とする請求項１０に記載の視野角切替型表示装置。
【請求項１６】
前記切替素子を支持する弾性樹脂材を有することを特徴とする請求項６に記載の視野角切替型表示装置。
【請求項１７】
前記切替素子が前記弾性樹脂材を介して前記表示パネルに固定されていることを特徴とする請求項１６に記載の視野角切替型表示装置。
【請求項１８】
前記切替素子に入射する光の指向性を高める視角制御手段を有し、前記切替素子が前記弾性樹脂材を介して前記視角制御手段に固定されていることを特徴とする請求項１６に記載の視野角切替型表示装置。
【請求項１９】
前記切替素子に入射する光の指向性を高める視角制御手段を有し、前記切替素子と前記視角制御手段とは相互に接合されており、この接合物が前記弾性樹脂材により支持されていることを特徴とする請求項１６に記載の視野角切替型表示装置。
【請求項２０】
前記切替素子に対して光を出射する光源を有し、前記切替素子が前記弾性樹脂材を介して前記光源に固定されていることを特徴とする請求項１６に記載の視野角切替型表示装置。
【請求項２１】
前記切替素子を収納するフレームを有し、前記切替素子が前記弾性樹脂材を介して前記フレームに固定されていることを特徴とする請求項１６に記載の視野角切替型表示装置。
【請求項２２】
前記弾性樹脂材の厚さが１０ミクロン以上であることを特徴とする請求項１６乃至２１のいずれか１項に記載の視野角切替型表示装置。
【請求項２３】
請求項１乃至２２のいずれか１項に記載の視野角切替型表示装置を有することを特徴とする端末装置。
【発明の詳細な説明】
【技術分野】
【０００１】
本発明は、視認可能な視野角を切り替えることができる視野角切替型表示装置及びそれを搭載した端末装置に関する。
【背景技術】
【０００２】
近時、表示装置における秘密保護機能が求められている。例えば、ＡＴＭ（Automated Teller Machine：自動窓口機）等の金融端末機を操作する際には、暗証番号等の秘匿情報を入力する必要があり、これが他人から視認されることを避けなければならない。また、携帯電話等においては、着信メール等の画像情報を他人から視認されることを防止する機能が求められている。更に、ＰＤＡ（Personal Digital Assistance：個人用情報端末）及びノート型パーソナルコンピューター等の携帯型の端末装置においても、電車等の公共交通機関内で使用する際には、同様の機能が求められている。
【０００３】
一方で、これらの表示装置を複数の人数で同時に視認可能とすることも求められている。携帯電話によるテレビ観賞はこの例である。また、ノート型パーソナルコンピューターのデータ画面を複数人数で眺める場合もある。
【０００４】
このような相反する表示機能を満たすものとして、視野角切替機能を備えた視野角切替型の表示装置が開発されている。これは、視野角を制御することにより、秘匿性が高い情報を個人で見る場合の狭視野モードと、公開性が高い情報を複数人数で見る場合の広視野モードとを切り替えることができる表示装置である。
【０００５】
特許文献１（特開平９−１９７４０５号公報）においては、このような視野角切替型の表示装置が提案されている。図１４は、特許文献１に記載の表示装置を示す側面図である。図１４に示すように、この従来の表示装置においては、光源１０１、この光源１０１から出射した光の指向性を高める第１の光学素子１０２、第１の光学素子１０２から入射した光をそのまま透過させるか散乱させるかを切り替える第２の光学素子１０３、第２の光学素子１０３から出射された光を透過させることによって画像を表示する透過型の液晶表示パネル１０４がこの順に配置されている。第１の光学素子１０２は例えば直線状ルーバーフィルムである。また、第２の光学素子１０３は、印加される電圧によって、透明状態となって入射した光をそのまま透過させるか、白濁状態となって入射した光を散乱させるかを切り替えるものである。これを実現する具体的な素子は、例えば高分子分散液晶、ポリマーネットワーク液晶、カプセル型液晶等の散乱型液晶素子である。
【０００６】
次に、この表示装置の動作原理を説明する。狭視野モードにおいては、第２の光学素子は透明状態となる。このため、光源１０１から出射した光は、第１の光学素子１０２により指向性が高められ、高い指向性を保ったまま第２の光学素子１０３を透過し、表示パネル１０４に入射する。表示パネル１０４は複数の画素により画像を形成し、入射光が表示パネル１０４を透過することによってこの画像を表示するが、これによって入射光の指向性が大きく変わることはない。このため、画面に垂直な方向（以下、表示装置正面という）に位置する観察者には画像が付加された光が到達するため、この観察者は表示画像を視認することができるが、表示装置正面から外れた位置（以下、斜め位置という）に位置する観察者には画像が付加された光が届かず、この観察者は表示画像を視認することができない。
【０００７】
一方、広視野モードにおいては、第２の光学素子は散乱状態になる。このため、第１の光学素子によって指向性が高められた光は、第２の光学素子により指向性が損なわれて散乱光となる。この散乱光が表示パネルに入射し、表示パネルから広い角度範囲で出射する。このため、表示装置正面の観察者のみならず斜め位置の観察者も画像を視認することが可能となる。
【０００８】
また、特許文献２（特開平６−５９２８７号公報）には、他の視野角切替型の表示装置が提案されている。図１５は、特許文献２に記載の表示装置を示す側面図である。図１５に示すように、この従来の表示装置においては、光源１１１、ゲスト−ホスト液晶素子１１２、表示パネル１１３がこの順に配置されている。ゲスト−ホスト液晶素子１１２は、細長い形状を持つ二色性色素分子を含有している。表示パネル１１３は透過型の液晶表示パネルである。
【０００９】
この表示装置においては、光源１１１から拡散光が出射され、ゲスト−ホスト液晶素子１１２に入射する。このとき、ゲスト−ホスト液晶素子１１２中の二色性色素分子がゲスト−ホスト液晶素子１１２の基板面に対して略垂直に配向していると、基板面の法線方向に入射された光は弱く吸収され、基板面の法線方向から傾斜した方向に入射された光は強く吸収される。このため、光源１１１から出射された光は、ゲスト−ホスト液晶素子１１２を通過することにより、その指向性が高められる。そして、ゲスト−ホスト液晶素子１１２から出射した光は、指向性が高いまま表示パネル１１３を透過して画像が付加される。従って、表示装置正面の観察者のみがこの画像を視認することができ、斜め位置の観察者は画像を視認することができない。これが、狭視野モードに相当する。
【００１０】
一方、ゲスト−ホスト液晶素子１１２中の二色性色素分子がその基板面に対して略平行に配向していると、二色性色素分子の基板面内方位が表示パネル１１３の入射側に配置された偏光板（図示せず）の吸収軸方位と一致していれば、特別に新たに生じる光損失もなく、画像の表示が可能となる。この際、二色性色素分子は基板面に平行に配向しているため、斜めに入射した光が強く吸収されることがない。従って、表示装置正面の観察者のみならず、斜め位置の観察者も画像を視認することができる。これが、広視野モードに相当する。
【００１１】
上述の如く、特許文献１及び２のいずれに開示された表示装置によっても、視認角度範囲を制御することができ、狭視野・広視野の切替が可能となる。
【００１２】
【特許文献１】特開平９−１９７４０５号公報
【特許文献２】特開平６−５９２８７号公報
【発明の開示】
【発明が解決しようとする課題】
【００１３】
しかしながら、上述の従来の技術には以下に示すような問題点がある。上述の散乱型液晶素子及びゲスト−ホスト液晶素子は、通常、表示パネルに用いられる液晶よりも多くのイオン性不純物を含んでいる。イオン性不純物は、表示装置の作製当初から液晶中に含まれている場合もあるが、表示装置の作製後に外部から混入する場合もある。このようなイオン性不純物は、印加された電界により容易に基板との界面付近まで移動する。一般に、散乱型液晶素子及びゲスト−ホスト液晶素子にも、通常の表示パネルの液晶と同様に、正負交替電界が印加される。このため、長期的に見れば、イオン性不純物は移動しないように思われる。しかし、直流成分を全く含まない正確な正負交替電界を供給することは、実用上極めて困難である。従って、表示装置を長期間に渡って使用すれば、いずれはイオン性不純物の偏在が生じる。液晶中においてイオン性不純物が偏在すると、正負交替電界を印加しても対称な光学応答を得ることができなくなる。このように、表示装置の作製当初には設計どおりの正負対称な光学応答が得られても、時間を経るに従って光学応答が非対称となり、フリッカーが発生する。
【００１４】
また、表示装置を携帯端末等に搭載するためには、表示装置を薄型化し、且つ機械的耐久性を高めなくてはならない。このため、上述の散乱型液晶素子又はゲスト−ホスト液晶素子の基板は、透明樹脂、例えばプラスチックにより形成することが好ましい。しかしながら、基板をプラスチックにより形成すると、ガラス基板を使用した場合と比較して基板の透湿性が低くなるため、液晶素子中にイオン性不純物が混入しやすくなる。このため、上述のイオン性不純物の偏在に起因するフリッカーの問題が、より深刻になる。
【００１５】
本発明はかかる問題点に鑑みてなされたものであって、長期間使用してもフリッカーが発生することがない視野角切替型表示装置、及びそれを搭載した端末装置を提供することを目的とする。
【課題を解決するための手段】
【００１６】
本発明に係る視野角切替型表示装置は、入射された光をそのまま透過させるか散乱させるかを切り替え可能な切替素子と、この切替素子から出射した光を透過させることにより画像を表示する表示パネルと、前記切替素子に交流電圧を印加するか否かを切り替えることによりこの切替素子を透過状態とするか散乱状態とするかを切り替える駆動部と、を有し、前記駆動部が前記切替素子に印加する前記交流電圧の周波数が、前記表示パネルの駆動周波数よりも高いことを特徴とする。
【００１７】
本発明においては、交流電圧の周波数を表示パネルの駆動周波数よりも高くすることにより、切替素子に正電位を印加したときと負電位を印加したときとの光学応答の非対称性が、視聴者にフリッカーとして認識されにくくなる。これにより、フリッカーの発生を抑制することができる。
【００１８】
また、前記交流電圧の周波数が６０Ｈｚよりも高いことが好ましい。これにより、フリッカーの発生をより確実に防止することができる。
【００１９】
更に、前記交流電圧の周波数が、前記表示パネルの駆動周波数の２倍以上であることが好ましい。これにより、表示画像の変動周波数が表示パネルの駆動周波数以上となり、フリッカーの発生をより確実に防止することができる。このとき、前記交流電圧の周波数が、前記表示パネルの駆動周波数のｎ倍（ｎは２以上の整数）であることがより好ましい。
【００２０】
更にまた、前記切替素子が、透明なプラスチックからなる２枚の基板と、この基板間に配置された液晶層と、を有することが好ましい。これにより、切替素子を薄型化すると共に、機械的耐久性を高めることができる。
【００２１】
本発明に係る端末装置は、前記視野角切替型表示装置を有することを特徴とする。
【発明の効果】
【００２２】
本発明によれば、長期間使用してもフリッカーが発生することがない視野角切替型表示装置を得ることができる。
【発明を実施するための最良の形態】
【００２３】
以下、本発明の実施形態について添付の図面を参照して具体的に説明する。先ず、本発明の第１の実施形態について説明する。図１は、本実施形態に係る表示装置を概略的に示す側面図であり、図２は、この表示装置を詳細に示す断面図であり、図３は、この表示装置を示す斜視図である。
【００２４】
図１に示すように、本実施形態に係る表示装置１においては、表示装置１の前方、即ち、視聴者側に向けて光を平面上に出射する面光源２が設けられており、面光源２の前方には、透過する光の指向性を高める視角制御手段４１が設けられている。また、視角制御手段４１の前面には、接着層７を介して切替素子８が接着されている。切替素子８は、透明状態となって入射された光をそのまま透過させるか、半透明な白濁状態となって入射された光を散乱させて通過させるかを切り替えるものである。更に、切替素子８の前方には、表示パネル４２が設けられている。表示パネル４２は透過型又は半透過型の表示パネルであり、切替素子８から出射される光を透過させることにより、この光に画像を付加するものである。更にまた、表示装置１には、切替素子８及び表示パネル４２を駆動する駆動部２１が設けられている。
【００２５】
以下、表示装置１の構成について、より詳細に説明する。図２に示すように、面光源２においては、例えばＣＣＦＬ（Cold-Cathode Fluorescent Lamp：冷陰極蛍光灯）等の冷陰極管３が設けられている。冷陰極管３は水銀蒸気を含んでおり、この水銀蒸気から生じる紫外光により蛍光体を励起させて可視光を発光するものである。また、面光源２には、導光板４が設けられている。導光板４は、例えば透明なプラスチックからなる板状の部材であり、その主面の法線は前方を向いている。冷陰極管３は導光板４の側方に配置されており、導光板４の側面に光を入射するようになっている。導光板４は、側面から入射された光をその前面（光出射面）から面状に出射するものである。更に、導光板４の前方には、２枚のプリズムシート５が設けられている。プリズムシート５は、導光板４から出射した光の主な進行方向を前方に向けるものである。冷陰極管３、導光板４及びプリズムシート５により、面光源２が構成されている。
【００２６】
また、視角制御手段４１として、直線状ルーバーシート６が設けられている。直線状ルーバーシート６は、透明な樹脂シート６ａ内に可視光を吸収する帯状の吸収体６ｂが複数本、相互に平行に埋め込まれたものであり、吸収体６ｂが延びる方向及びその配列方向は、いずれも前方に直交する方向となっている。樹脂シート６ａは、波長が４００ｎｍ以下の光を吸収する材料、例えば、ポリエチレンナフタレート（ＰＥＮ）により形成されている。これにより、冷陰極管３から漏洩した紫外光を吸収することができる。直線状ルーバーシート６の厚さは例えば０．１ｍｍ以上である。
【００２７】
更に、切替素子８においては、２枚の透明なプラスチック基板９ａ及び９ｂが相互に離隔して且つ平行に設けられており、その間に高分子分散液晶層１０が封入されている。高分子分散液晶層１０は、樹脂１０ａ中に液晶液滴１０ｂが分散されたものである。また、プラスチック基板９ａ及び９ｂにおける相互に対向する面には、夫々電極１１ａ及び１１ｂが設けられている。なお、接着層７にはプラスチック基板９ａが接着されている。
【００２８】
更にまた、表示パネル４２として、半透過型液晶パネル１２が設けられている。そして、切替素子８のプラスチック基板９ｂに接するようにフレーム状の弾性樹脂材１３が設けられており、切替素子８は弾性樹脂材１３を介して半透過型液晶パネル１２に固定され支持されている。弾性樹脂材１３は、クッション性のある材料、例えば、シリコン樹脂又は弾性ゲル等により形成されている。
【００２９】
半透過型液晶パネル１２においては、透明な樹脂からなる２枚の透明基板１４ａ及び１４ｂが相互に平行に且つ離隔して配置されており、その間に液晶層１５が設けられている。透明基板１４ａの外側、即ち後方側には偏光板１６ａが設けられており、弾性樹脂材１３に接している。一方、透明基板１４ｂの外側、即ち前方側には偏光板１６ｂが設けられており、表示装置１の画面の最前面を構成している。また、透明基板１４ａの液晶層１５側の表面には画素電極（図示せず）が設けられており、透明記版１４ｂの液晶層１５側の表面には対向電極（図示せず）が設けられている。これにより、半透過型液晶パネル１２の表示領域においては、複数のセルがマトリクス状に設定されている。そして、各セルには、反射領域１７及び透過領域１８が設定されている。反射領域１７における透明基板１４ａと液晶層１５との間には、前方から入射し液晶層１５を透過した外光を前方に向けて反射する反射材１９が設けられている。
【００３０】
更にまた、駆動部２１には、液晶パネル駆動部２２及び切替素子駆動部２３が設けられている。液晶パネル駆動部２２は、外部から入力される画像データ２４に基づいて、半透過型液晶パネル１２に駆動信号を供給して半透過型液晶パネル１２に画像を形成させるものである。また、切替素子駆動部２３は、切替素子８の電極１１ａ及び１１ｂに電圧を印加することにより、切替素子８を透明状態とするか散乱状態とするかを切り替えるものである。例えば、切替素子駆動部２３が電極１１ａ及び１１ｂに電圧を印加しないときは、切替素子８が透明状態となる。一方、切替素子駆動部２３が電極１１ａ及び１１ｂに電圧を印加すると、切替素子８が散乱状態となる。このとき、切替素子駆動部２３は電極１１ａ及び１１ｂに交流電圧を印加する。
【００３１】
液晶パネル駆動部２２が半透過型液晶パネル１２を駆動する駆動周波数をＦ１とし、切替素子駆動部２３が切替素子８に印加する交流電圧の周波数をＦ２とするとき、周波数Ｆ２を、半透過型液晶パネル１２を駆動する周波数Ｆ１よりも高い周波数とする。即ち、Ｆ２＞Ｆ１とする。周波数Ｆ２は周波数Ｆ１の２倍以上であることが好ましく（Ｆ２≧２×Ｆ１）、ｎを２以上の整数とするとき、周波数Ｆ２は周波数Ｆ１のｎ倍であることがより好ましい。即ち、Ｆ２＝ｎ×Ｆ１（ｎは２以上の整数）であることが好ましい。周波数Ｆ１は例えば６０Ｈｚであり、周波数Ｆ２は例えば２４０Ｈｚである。
【００３２】
図３に示すように、切替素子８と切替素子駆動部２３とはケーブル２５により接続されている。そして、表示装置１においては、面光源２における冷陰極管３が配置されている辺と、切替素子８からケーブル２５を引き出す辺とは、同じ側に配置されている。これにより、表示面の周辺額縁幅が小さくなるようになっている。
【００３３】
次に、上述の如く構成された本実施形態に係る表示装置の動作について、図１を参照して説明する。先ず、狭視野モードの動作について説明する。狭視野モードにおいては、切替素子駆動部２３は、切替素子８の電極１１ａ及び１１ｂに電圧を印加しない。これにより、切替素子８は透明状態となる。また、面光源２の冷陰極管３が導光板４に向けて光を出射する。このとき、冷陰極管３内の水銀蒸気が紫外線を生じ、この紫外線が蛍光体を励起して可視光を出力するが、水銀蒸気が発する紫外線もこの可視光に混合して冷陰極管３から出射される。
【００３４】
冷陰極管３から出射した光は、導光板４内にその側面から入射し、その前面から面状に出射される。そして、プリズムシート５によって光の進行方向の主方向が前方になる。次いで、この光が直線状ルーバーシート６を通過することにより、前方から大きく傾斜した方向に進行する光は吸収体６ｂに吸収され、前方からの傾斜角度が一定の範囲内である方向に進行する光のみが樹脂シート６ａを透過する。これにより、光の指向性が高まる。また、この光のうち、紫外線成分は樹脂シート６ａにより吸収され遮断される。
【００３５】
直線状ルーバーシート６から出射された指向性が高い光は、接着層７を透過して、切替素子８に入射する。切替素子８は透明状態であるため、光は高い指向性を維持したまま切替素子８を透過し、半透過型液晶パネル１２に入射し、透過領域１８において液晶層１５を透過し、前方に出射される。
【００３６】
一方、前方から半透過型液晶パネル１２に入射した外光は、液晶層１５を透過した後、反射領域１７において反射材１９により反射されて再び液晶層１５を透過し、前方に向けて出射される。
【００３７】
この状態で、液晶パネル駆動部２２が、外部から入力された画像データ２４に基づいて、半透過型液晶パネル１２を駆動する。これにより、面光源２から出射され、半透過型液晶パネル１２の透過領域１８を透過する光、及び外部から入射され反射領域１７において反射される光に画像を付加することができる。このとき、切替素子８から出射された光はその指向性が高いため、半透過型液晶パネル１２から出射される光も指向性が高く、表示装置１の正面方向には出射されるが、斜め方向にはほとんど出射されない。これにより、表示装置正面に位置する視聴者に対してのみ画像を表示することができ、斜め位置からの覗き見を防止することができる。
【００３８】
次に、広視野モードの動作について説明する。広視野モードにおいては、切替素子駆動部２３は、切替素子８の電極１１ａ及び１１ｂに、周波数がＦ２である交流電圧を印加する。これにより、切替素子８は散乱状態となる。この状態で、冷陰極管３が光を出射し、液晶パネル駆動部２２が画像データ２４に基づいて半透過型液晶パネル１２を駆動する。上述の如く、この周波数Ｆ２は、半透過型液晶パネル１２の駆動周波数Ｆ１以上であり、例えば周波数Ｆ１の２倍以上であり、例えば周波数Ｆ１のｎ倍（ｎは２以上の整数）である。例えば、周波数Ｆ１は６０Ｈｚであり、周波数Ｆ２は２４０Ｈｚである。
【００３９】
広視野モードにおいても、冷陰極管３から出射された光が接着層７を透過するまでの動作は、狭視野モードと同じである。切替素子８から散乱状態で、即ち、低い指向性で出射された光は、半透過型液晶パネル１２に入射し、その透過領域１８を透過した後、前方に向けて出力される。このとき、半透過型液晶パネル１２から出力される光は指向性が低く、表示装置１の正面方向に出射されると共に、斜め方向にも出射される。これにより、表示装置正面に位置する視聴者及び斜め位置に位置する視聴者の双方に対して画像を表示することができる。
【００４０】
以下、本発明の構成要件における数値限定理由について説明する。
【００４１】
切替素子の駆動周波数Ｆ２：液晶パネルの駆動周波数Ｆ１より高い（Ｆ２＞Ｆ１）
上述の如く、切替素子８中には不可避的にイオン性不純物が混入し、その量は経時的に増大する。このため、高分子分散液晶層１０の抵抗率が経時的に低下する。切替素子８中にイオン性不純物が存在していても、切替素子に常に完全に対称な正負交替電圧を印加していれば、イオン性不純物が片方の電極側に偏在することがなく、切替素子に正電圧を印加しても負電圧を印加しても、切替素子は同等の光学応答を示す。しかしながら、切替素子に直流成分を全く含まない正負交替電圧を印加することは実用上困難である。このため、切替素子中のイオン性不純物は、印加電圧中の直流成分により次第に片側の電極近傍に偏在していく。イオン性不純物が偏在すると、切替素子は正電圧印加時と負電圧印加時とで異なった光学応答を示し、透過率が異なるようになる。そして、従来、切替素子は液晶パネルと同一周波数の正負交替電圧で駆動されているため、上述の光学応答の非対称性は視聴者にフリッカーとして認識されてしまう。
【００４２】
これに対して、切替素子の駆動周波数Ｆ２を液晶パネルの駆動周波数Ｆ１よりも高くすれば、切替素子が劣化してイオン性不純物が増加し且つ偏在しても、切替素子の光学応答における非対称性が視聴者に認識されにくくなる。従って、本発明においては、切替素子の駆動周波数Ｆ２を液晶パネルの駆動周波数Ｆ１よりも高くする。周波数Ｆ２は６０Ｈｚより高いことが好ましい。
【００４３】
切替素子の駆動周波数Ｆ２：液晶パネルの駆動周波数Ｆ１の２倍以上（Ｆ２≧２×Ｆ１）
本表示装置の透過率は、切替素子の透過率と表示パネルの透過率との積で表すことができる。そして、前述の如く、切替素子は正電圧と負電圧とで透過率が変動する可能性がある。一方、表示パネルは特定の駆動周波数で画面を更新することにより画像を表示する。このため、表示パネルの駆動周波数（Ｆ１）と切替素子の駆動周波数（Ｆ２）が異なる場合には、表示装置全体としての透過率は、周波数（Ｆ１＋Ｆ２）と周波数｜Ｆ２−Ｆ１｜とで変動することとなる。周波数（Ｆ１＋Ｆ２）は周波数Ｆ１より高い高周波であるために、視聴者に認識されることがない。一方、周波数｜Ｆ２−Ｆ１｜は低周波であり、その値によっては視聴者にフリッカーとして認識されてしまう可能性がある。
【００４４】
そこで、周波数Ｆ２を周波数Ｆ１の２倍以上とすれば、表示変動周波数｜Ｆ２−Ｆ１｜はＦ１以上となり、フリッカーとして視認されなくなる。これにより、表示変動が生じても違和感なく画像を視認することができる。従って、切替素子の駆動周波数Ｆ２は、液晶パネルの駆動周波数Ｆ１の２倍以上とすることが好ましい。
【００４５】
切替素子の駆動周波数Ｆ２：液晶パネルの駆動周波数Ｆ１のｎ倍（ｎは２以上の整数）（Ｆ２＝ｎ×Ｆ１）
周波数Ｆ２を周波数Ｆ１のｎ倍にすれば、周波数｜Ｆ２−Ｆ１｜は周波数Ｆ１の自然数倍となる。これにより、画像の透過率が変動する周波数が、画像の内容が変化する周波数の自然数倍となり、視聴者が認識する違和感をより一層低減することができる。従って、切替素子の駆動周波数Ｆ２は、液晶パネルの駆動周波数Ｆ１のｎ倍（ｎは２以上の整数）とすることが好ましい。
【００４６】
次に、本実施形態の効果について説明する。本実施形態によれば、表示の視野角を狭角及び広角に切り替えることができるため、狭視野角モードにして覗き見を防止することと、広視野角モードにして複数人により画像を同時に観賞することとを、両方実現することができる。
【００４７】
また、上述の原理により、本実施形態においては、フリッカーの発生を防止することができる。
【００４８】
更に、本実施形態においては、切替素子８の基板をプラスチック基板９ａ及び９ｂとしており、また、半透過型液晶パネル１２の透明基板１４ａ及び１４ｂを樹脂により形成しているため、表示装置１の薄型化及び軽量化を図り、且つ、機械的耐久性を高めることができる。
【００４９】
しかしながら、切替素子８の基板をプラスチックにより形成すると、いくつかの問題点が発生する。そこで、本実施形態においては、これらの問題点を解消するために、いくつかの対策を講じている。以下、切替素子８の基板をプラスチック基板とすることに起因する問題点と、その対策について説明する。
【００５０】
一般に、液晶は紫外線照射によって劣化する。しかし、通常の画像表示用の液晶パネルにおいては、透明基板の両側に偏光板が貼られており、この偏光板が効果的な紫外線遮断材として機能する。このため、液晶が著しい紫外線照射環境に晒されることはない。ところが、本実施形態においては、光源と表示パネルとの間に散乱型液晶が配置されている。このため、冷陰極管において蛍光体を励起するための紫外光の一部が散乱型液晶材に直接入射して、液晶の紫外線劣化を引き起こす。特に、本実施形態において切替素子に含まれる高分子分散液晶層は、散乱型液晶であるため紫外線露光により製造されている。このため、切替素子のプラスチック基板には、紫外線が透過できる基板が使用されている。従って、冷陰極管と切替素子との間に紫外線を吸収する部材が配置されていなければ、高分子分散液晶層中の液晶液滴が紫外線により劣化してしまう。なお、切替素子にゲスト−ホスト液晶を使用する場合でも、同様の問題が生じる。この場合には、液晶材に加え二色性色素材の劣化も引き起こされる。
【００５１】
これに対して、本実施形態においては、直線状ルーバーシート６の樹脂シート６ａを、紫外線を吸収する材料により形成している。このため、冷陰極管３から出射された紫外線を直線状ルーバーシート６により遮断することができる。これにより、切替素子８が紫外線に曝されることがなく、切替素子８の液晶液滴１０ｂが紫外線により劣化することがない。
【００５２】
また、プラスチックはガラスと比較して透湿性が高い。このため、切替素子の基板をプラスチックにより形成すると、内部の液晶動作を長期間保証することができない。なお、通常、液晶パネルにプラスチック基板を用いる場合は、防湿性を高めるために、プラスチック基板の内面に酸化シリコン膜等を被覆する。但し、この場合は、プラスチック基板の内面に、酸化シリコン膜及び透明電極層の二層以上を形成することが必要となる。このように、多層化による信頼性確保は、高価なプラスチック基板を必要とする。
【００５３】
そこで、本実施形態においては、切替素子８のプラスチック基板９ａの全面を、接着層７を介して直線状ルーバーシート６に接着している。これにより、切替素子８における背面側のプラスチック基板の実効的な厚さが厚くなり、背面側からの透湿を防止することができる。これにより、前面側のプラスチック基板にのみ防湿被覆を施せばよく、背面側のプラスチック基板には防湿被覆を施す必要がなくなる。このため、コストを低く抑えつつ、信頼性を確保することができる。特に、本実施形態においては、直線状ルーバーシート６の厚さが０．１ｍｍ以上であるため、十分な防湿性能を得ることができる。この結果、切替素子の経時劣化を抑制することができ、表示装置の信頼性を向上させることができる。
【００５４】
更に、散乱型液晶は機械的衝撃に弱いという問題点がある。上述の如く、散乱型液晶にはポリマー分散型液晶、ポリマーネットワーク液晶、カプセル型液晶等が知られている。これらの液晶に共通する構造は、液晶相と樹脂相とからなることである。これにより、散乱・透明の切替を、液晶相と樹脂相との屈折率の不整合・整合により実現している。このうち樹脂相は固定構造であるため特に機械的衝撃に弱く、しかも一度破壊されると復元することがない。通常、散乱型液晶の厚さは、厚くても数十ミクロン程度である。この極めて薄い固体の樹脂層が、機械的に安定に保持されなければならない。ところが、プラスチック基板間に樹脂層を配置した場合は、機械的な課題が生じる。プラスチック基板は外力等により容易に曲がり及び撓み等の変形が生じる。このため、ガラス基板間に散乱型液晶材を配置した場合と比べて、はるかに脆弱なものとなってしまう。なお、ゲスト−ホスト液晶材の場合には、内部に樹脂相のような固定構造はないものの、プラスチック基板が容易に変形するような状況においては、表示ムラが発生する。即ち、プラスチック基板が撓み、ゲスト−ホスト液晶材に厚い部分と薄い部分とが生じた場合には、表示が不均一となり問題となる。視野角切替型の表示装置は、携帯型又は可搬型の端末装置に使用される場合が多いため、落下及び使用時の衝撃を考慮しなければならず、この機械的衝撃への脆弱さが課題となっている。
【００５５】
そこで、本実施形態においては、切替素子８を、弾性樹脂材１３を介して半透過型液晶パネル１２に固定している。これにより、切替素子８を機械的なストレスから保護することができる。
【００５６】
次に、本発明の第２の実施形態について説明する。図４は本実施形態に係る表示装置を示す断面図である。図４に示すように、本実施形態に係る表示装置３１においては、プリズムシート５と直線状ルーバーシート６との間に拡散板３２が配置されている。拡散板３２は、波長が４００ｎｍ以下の光を吸収すると共に可視光を透過させる樹脂材料、例えば、ポリエチレンナフタレート（ＰＥＮ）により形成されている。これにより、冷陰極管３から漏洩した紫外光を吸収することができる。なお、本実施形態においては、直線状ルーバーシート６の樹脂シート６ａは、前述の第１の実施形態と同様に紫外線を吸収する材料により形成されていてもよく、紫外線を吸収しない材料により形成されていてもよい。
【００５７】
また、表示装置３１においては、面光源２、拡散板３２、直線状ルーバーシート６、切替素子８及び弾性樹脂材１３を収納するフレーム３３が設けられている。フレーム３３は、リアフレーム３３ａにフロントフレーム３３ｂが嵌合することにより、枠状に形成されている。リアフレーム３３は、面光源２、拡散板３２、直線状ルーバーシート６、切替素子８及び弾性樹脂材１３の側面及び面光源２の背面の周辺部を覆うものである。フロントフレーム３３ｂは、切替素子８及び弾性樹脂材１３の側面及び前面の周辺部を覆うものである。切替素子８の前面は、弾性樹脂材１３を介してフロントフレーム３３ｂに接着され固定されている。
【００５８】
更に、表示装置３１においては、前述の第１の実施形態における接着層７の替わりに、弾性樹脂材３６が設けられている。即ち、弾性樹脂材３６は、直線状ルーバーシート６と切替素子８との間に配置されている。これにより、切替素子８は、弾性樹脂材３６を介して直線状ルーバーシート６に対して固定されている。
【００５９】
更にまた、表示装置３１においては、前述の第１の実施形態における半透過型液晶パネル１２の替わりに、透過型液晶パネル３４が設けられている。
【００６０】
更にまた、表示装置３１においては、前述の第１の実施形態における切替素子駆動部２３の替わりに、切替素子駆動部３５が設けられている。切替素子駆動部３５は、透過型液晶パネル３４から駆動同期信号を取り出し、この駆動同期信号の４逓倍周波数の信号を作り出し、この信号に基づいて切替素子８に駆動電圧を供給するものである。このため、透過型液晶パネル３４が例えば６０Ｈｚの周波数で駆動されれば、切替素子８は透過型液晶パネル３４と同期し且つ２４０Ｈｚの周波数で駆動される。本実施形態における上記以外の構成は、前述の第１の実施形態と同様である。
【００６１】
次に、本実施形態の動作及び効果について説明する。表示パネルによっては、リセット期間を設定している場合がある。この場合には、切替素子の駆動周波数Ｆ２を表示パネルの駆動周波数Ｆ１の倍数としても、切替素子と表示パネルの駆動タイミングが同期されていなければ、正電位を印加するフレームと負電位を印加するフレームとで表示装置の透過率が異なってしまう。これに対して、本実施形態においては、切替素子の駆動タイミングを表示パネルの駆動タイミングに同期させることにより、正電位を印加するフレームと負電位を印加するフレームとで透過率が異なることを避けることができる。これにより、フリッカーの発生をより確実に防止することができる。
【００６２】
また、本実施形態においては、切替素子８を、弾性樹脂材１３を介してフレーム３３のフロントフレーム３３ｂに対して固定すると共に、弾性樹脂材３６を介して直線状ルーバーシート６に対して固定している。即ち、切替素子８を弾性樹脂材１３及び３６によって支持している。これにより、切替素子８を機械的なストレスから保護することができると共に、切替素子の背面側の防湿性を向上させることができる。この結果、構成部品点数を増やすことなく、表示装置３１の信頼性を向上させることができる。本実施形態における上記以外の動作及び効果は、前述の第１の実施形態と同様である。
【００６３】
次に、本発明の第３の実施形態について説明する。図５は、本実施形態に係る表示装置を示す側面図である。なお、図５においては、図を簡略化するために、駆動部が図示されていない。後述する図６乃至図１３についても同様である。図５に示すように、本実施形態においては、視角制御手段４１（図１参照）が設けられておらず、面光源２が接着層７を介して切替素子８の背面側のプラスチック基板（図示せず）に接着されている。これにより、切替素子８の背面側プラスチック基板の実効的な厚さが厚くなり、背面側からの透湿を防止することができる。また、この表示装置には、表示パネル４２が設けられている。表示パネル４２は、前述の第１の実施形態における半透過型液晶パネル１２と同じものであってもよく、前述の第２の実施形態における透過型液晶パネル３４と同じものであってもよく、液晶パネル以外の透過型の表示パネルであってもよい。本実施形態における上記以外の構成、動作及び効果は、前述の第１の実施形態と同様である。
【００６４】
次に、本発明の第４の実施形態について説明する。図６は、本実施形態に係る表示装置を示す側面図である。図６に示すように、本実施形態においては、接着層７が切替素子８の背面側ではなく、前面側に配置されている。これにより、切替素子８は、その前面側のプラスチック基板の全面が接着層７を介して表示パネル４２の背面に接着されている。これにより、切替素子８の前面側プラスチック基板の実効的な厚さが厚くなり、前面側からの透湿を防止することができる。本実施形態における上記以外の構成、動作及び効果は、前述の第１の実施形態と同様である。
【００６５】
なお、本実施形態において、表示パネル４２がその前面側及び背面側に偏光板が設けられた液晶パネルであり、切替素子８は接着層７を介して背面側の偏光板に接着されている場合は、この背面側の偏光板の厚さが０．１ｍｍ以上であることが好ましい。これにより、切替素子８の前面側からの透湿を防止する機能が十分に大きくなる。
【００６６】
次に、本発明の第５の実施形態について説明する。図７は、本実施形態に係る表示装置を示す側面図である。図７に示すように、本実施形態においては、視角制御手段４１（図１参照）が設けられておらず、その替わりに、面光源３と切替素子８との間に紫外線吸収シート４３が設けられている。紫外線吸収シート４３は、例えば、ポリエチレンナフタレート（ＰＥＮ）により形成されている。これにより、面光源３の冷陰極管から出射される紫外線を、紫外線吸収シート４３により遮断することができ、切替素子８を紫外線から防護することができる。この結果、紫外線による切替素子８の劣化を防止することができ、表示装置の信頼性を確保することが可能となる。本実施形態における上記以外の構成、動作及び効果は、前述の第１の実施形態と同様である。なお、紫外線吸収シート４３を切替素子８に接着してもよい。これにより、紫外線吸収シート４３に、紫外線遮断機能だけでなく防湿機能を持たせることができる。
【００６７】
次に、本発明の第６の実施形態について説明する。図８は、本実施形態に係る表示装置を示す断面図である。図８に示すように、本実施形態においては、前述の第２の実施形態と比較して、フロントフレームが省略されており、また、切替素子８の背面側の全面に弾性樹脂材４４が配置されており、この弾性樹脂材４４を介して、切替素子８が面光源２に固定されている点が異なっている。これにより、弾性樹脂材４４が機械的衝撃を吸収するため、切替素子８に大きな力が加わらず、切替素子８内の樹脂１０ａ（図２参照）が破壊することを防止できる。また、温度が上下した際に切替素子８とリアフレーム３３ａとの間に生じる膨張差及び収縮差、並びに切替素子８と面光源２との間に生じる膨張差及び収縮差を、弾性樹脂材１３が吸収することができる。このため、温度が変化しても切替素子に熱応力が加わらず、切替素子の破損を回避することができる。本実施形態における上記以外の構成、動作及び効果は、前述の第２の実施形態と同様である。
【００６８】
次に、本発明の第７の実施形態について説明する。図９は、本実施形態に係る表示装置を示す断面図である。図９に示すように、本実施形態においては、前述の第６の実施形態と比較して、弾性樹脂材４４が切替素子８の背面の周辺部にのみ設けられている点が異なっている。本実施形態における上記以外の構成、動作及び効果は、前述の第６の実施形態と同様である。
【００６９】
次に、本発明の第８の実施形態について説明する。図１０は、本実施形態に係る表示装置を示す断面図である。図１０に示すように、本実施形態においては、視角制御手段４１と切替素子８とが接着層７により貼り合わされており、この接着物が弾性樹脂材４５を介して面光源２に対して固定されている。これにより、視角制御手段４１と切替素子８との接着物が、弾性樹脂材４５により支持されている。この結果、防湿性が優れ、機械的衝撃及び熱膨張差に強い表示装置を得ることができる。
【００７０】
次に、本発明の第９の実施形態について説明する。図１１は、本実施形態に係る表示装置を示す断面図である。図１１に示すように、本実施形態においては、切替素子８が弾性樹脂材１３によって表示パネル４２に固定されている。弾性樹脂材１３は、表示パネル４２の背面側の周辺部に枠状に設けられている。本実施形態における上記以外の構成、動作及び効果は、前述の第１の実施形態と同様である。
【００７１】
次に、本発明の第１０の実施形態について説明する。図１２は、本実施形態に係る表示装置を示す側面図である。図１２に示すように、本実施形態においては、切替素子８が弾性樹脂材４６を介して表示パネル４２に固定されている。弾性樹脂材４６は、表示パネル４２の背面側の全面に設けられている。本実施形態における上記以外の構成、動作及び効果は、前述の第１の実施形態と同様である。
【００７２】
なお、前述の各実施形態において、導光板に紫外線吸収機能を持たせてもよい。また、前述の各実施形態においては、面光源としてサイドライト型の光源を使用する例を示したが、本発明はこれに限定されず、直下型の光源を使用してもよい。直下型光源は、複数の光源素子とその上方に配置され輝度の均一化を図る拡散板とから構成されている。直下型の光源を使用する場合は、拡散板に紫外線吸収機能を持たせてもよい。いずれの場合も、面光源の一部に紫外光吸収機能を持たせることにより、紫外光吸収層を新たに設ける必要がなく部品点数を増やさずに切替素子の劣化を防ぐことができる。
【００７３】
更に、面光源の指向性を改善するためのプリズムシートに紫外光吸収機能を持たせることも可能である。これは、構成材料の選択又は紫外光吸収物質を構成材料に混入させることにより実現可能である。これにより、新たに部品点数を増やすことなく、信頼性を確保することができる。
【００７４】
更にまた、前述の各実施形態においては、切替素子として、電圧が印加されていないときに透明状態となり、電圧が印加されているときに散乱状態となる散乱型液晶素子を使用する例を示したが、本発明はこれに限定されず、電圧が印加されていないときに散乱状態となり、電圧が印加されているときに透明状態となる散乱型液晶素子を使用してもよい。また、切替素子として、細長い形状を持つ二色性色素分子を備えたゲスト−ホスト液晶素子を使用してもよい。
【００７５】
更にまた、前述の各実施形態において、接着層又は弾性樹脂材の厚さを１０ミクロン以上とすることが好ましい。これにより、平面間の光干渉によるフリンジ縞を目立たなくすることができる。例えば、図１０に示す第８の実施形態において、弾性樹脂材４５の厚さを１０ミクロン以上に設定することにより、面光源２の前面と視角制御手段４１の背面との間の光干渉によるフリンジ縞の発生を抑制することができる。同様な効果は、接着層７の厚さを１０ミクロン以上としても得ることができる。例えば、図１０において、接着層７の厚さを１０ミクロン以上とすることにより、視角制御手段４１の前面と切替素子８の背面との間の光干渉を抑制することができる。
【００７６】
次に、本発明の第１１の実施形態について説明する。本実施形態は、本発明に係る端末装置の実施形態である。図１３は、本実施形態に係る端末装置を示す斜視図である。図１３に示すように、本実施形態に係る端末装置は、ノート型パーソナルコンピューター（ノートＰＣ）５１である。このノートＰＣ５１には、操作部５２と、この操作部５２の端縁に回動可能に連結された表示部５３とが設けられており、表示部５３には、視野角切替型の表示装置１が組み込まれている。この表示装置１は、前述の第１の実施形態に係る表示装置１（図１乃至図３参照）と同じものである。表示装置１における直線状ルーバーシート６の吸収体６ｂ（図２参照）の延設方向は、ノートＰＣ５１の画面の垂直方向５４と略一致している。本実施形態の動作及び効果は、前述の第１の実施形態と同様である。
【００７７】
なお、直線状ルーバーシートと表示パネルとの間の干渉によるモアレが気になる場合には、吸収体６ｂの延設方向を画面の垂直方向５４から１０度以下の角度で傾斜させてもよい。これにより、モアレを軽減することができる。また、直線状ルーバーシート６と切替素子８との間に新たに拡散シートを配置して、モアレを解消してもよい。更に、ノートＰＣ５１の表示部５３には、前述の第２乃至第１０のいずれかの実施形態に係る表示装置を組み込んでもよい。特に、本実施形態に係る端末装置が携帯・可搬型の端末装置である場合には、野外で使用されることが多く、信頼性が優れたものであることが求められる。このような端末装置に上述の第１乃至第１０の実施形態に係る表示装置を適用することにより、前記要求に応える端末装置を得ることができる。
【００７８】
また、本実施形態においては、端末装置がノート型パーソナルコンピューターである例を示したが、本発明はこれに限定されず、例えば、携帯電話又はＰＤＡ等であってもよい。
【図面の簡単な説明】
【００７９】
【図１】本発明の第１の実施形態に係る表示装置を概略的に示す側面図である。
【図２】本実施形態に係る表示装置を詳細に示す断面図である。
【図３】この表示装置を示す斜視図である。
【図４】本発明の第２の実施形態に係る表示装置を示す断面図である。
【図５】本発明の第３の実施形態に係る表示装置を示す側面図である。
【図６】本発明の第４の実施形態に係る表示装置を示す側面図である。
【図７】本発明の第５の実施形態に係る表示装置を示す側面図である。
【図８】本発明の第６の実施形態に係る表示装置を示す断面図である。
【図９】本発明の第７の実施形態に係る表示装置を示す断面図である。
【図１０】本発明の第８の実施形態に係る表示装置を示す断面図である。
【図１１】本発明の第９の実施形態に係る表示装置を示す断面図である。
【図１２】本発明の第１０の実施形態に係る表示装置を示す側面図である。
【図１３】本発明の第１１の実施形態に係る端末装置を示す斜視図である。
【図１４】特許文献１に記載の表示装置を示す側面図である。
【図１５】特許文献２に記載の表示装置を示す側面図である。
【符号の説明】
【００８０】
１；表示装置
２；面光源
３；冷陰極管
４；導光板
５；プリズムシート
６；直線状ルーバーシート
６ａ；樹脂シート
６ｂ；吸収体
７；接着層
８；切替素子
９ａ、９ｂ；プラスチック基板
１０；高分子分散液晶層
１０ａ；樹脂
１０ｂ；液晶液滴
１１ａ、１１ｂ；電極
１２；半透過型液晶パネル
１３；弾性樹脂材
１４ａ、１４ｂ；透明基板
１５；液晶層
１６ａ、１６ｂ；偏光板
１７；反射領域
１８；透過領域
１９；反射材
２１；駆動部
２２；液晶パネル駆動部
２３；切替素子駆動部
２４；画像データ
２５；ケーブル
３１；表示装置
３２；拡散板
３３；フレーム
３３ａ；リアフレーム
３３ｂ；フロントフレーム
３４；透過型液晶パネル
３５；切替素子駆動部
３６；弾性樹脂材
４１；視角制御手段
４２；表示パネル
４３；紫外線吸収シート
４４、４５、４６；弾性樹脂材
５１；ノート型パーソナルコンピューター
５２；操作部
５３；表示部
５４；垂直方向
１０１；光源
１０２；第１の光学素子
１０３；第２の光学素子
１０４；液晶表示パネル
１１１；光源
１１２；ゲスト−ホスト液晶素子
１１３；表示パネル
【図１】
2006323031.tif 000003
【図２】
2006323031.tif 000004
【図３】
2006323031.tif 000005
【図４】
2006323031.tif 000006
【図５】
2006323031.tif 000007
【図６】
2006323031.tif 000008
【図７】
2006323031.tif 000009
【図８】
2006323031.tif 000010
【図９】
2006323031.tif 000011
【図１０】
2006323031.tif 000012
【図１１】
2006323031.tif 000013
【図１２】
2006323031.tif 000014
【図１３】
2006323031.tif 000015
【図１４】
2006323031.tif 000016
【図１５】
2006323031.tif 000017